(57)【特許請求の範囲】
【請求項１】
データ入力モジュールと、
メモリモジュールと、
第１出力モジュールと、
比較モジュールと、
グレースケール制御モジュールと、
第２出力モジュールと、からなるＡＭＯＬＥＤ表示装置の駆動システムであって、
当該ＡＭＯＬＥＤ表示装置の駆動システムの駆動周波数が元の２倍に高くなることで、元々１つの画面のみを表示する時間内において二つの画面を表示することができるようになっていて、
前記データ入力モジュールは、隣り合う２つの画面の表示データを順番に入力するのに用いられ、
このとき、元の１つの画面を入力する時間内に、前記元の１つの画面を１つ目の画面とするとともに前記元の１つの画面の次の画面を2つ目の画面として、前記１つ目の画面の表示データを前記メモリモジュールに入力し、前記２つ目の画面の表示データを前記比較モジュールに入力し、
前記メモリモジュールは、前記データ入力モジュールに電気的に接続され、前記隣り合う２つの画面における前記１つ目の画面の表示データを記憶するのに用いられ、
前記第１出力モジュールは、前記メモリモジュールに電気的に接続され、前記隣り合う２つの画面における前記１つ目の画面の表示データを直接出力するのに用いられ、
前記比較モジュールは、前記データ入力モジュールと前記メモリモジュールとに電気的に接続され、前記データ入力モジュールから前記比較モジュールに前記隣り合う２つの画面における前記２つ目の画面の表示データが入力されるとともに、前記メモリモジュールから前記比較モジュールに前記隣り合う２つの画面における前記１つ目の画面の表示データが入力され、
前記比較モジュールは、前記隣り合う２つの画面における前記１つ目の画面と前記２つ目の画面が相似しているか否かを比較し、前記２つ目の画面が前記１つ目の画面と比較して動画であるかそれとも静止画であるかを判定するとともに、タイムカウントを出力するのに用いられ、
前記グレースケール制御モジュールは、前記比較モジュールと前記メモリモジュールとに電気的に接続され、前記タイムカウントと前記１つ目の画面における各画素のグレースケールに基づいて、前記元の１つの画面の表示時間において前記１つ目の画面の表示の次に表示される第2画面における対応する画素の出力グレースケールを制御するのに用いられ、
前記２つ目の画面が前記１つ目の画面と比較して動画である場合、前記グレースケール制御モジュールは、前記第2画面における対応する画素の出力グレースケールが前記１つ目の画面における各画素のグレースケールから変化しないようにし、
前記２つ目の画面が前記１つ目の画面と比較して静止画である場合、前記グレースケール制御モジュールは、前記第2画面における対応する画素の出力グレースケールが特定のタイムカウントの範囲内においてタイムカウントが増えるのに伴って徐々に減少するように制御することで、静止画の表示輝度が緩やかに低くなるようにし、
前記第２出力モジュールは、前記グレースケール制御モジュールに電気的に接続され、前記グレースケール制御モジュールによって処理された前記第2画面の表示データを出力するのに用いられ、
前記グレースケール制御モジュール内には、画素グレースケールルックアップテーブルが設けられ、
前記画素グレースケールルックアップテーブルは、タイムカウントと前記１つ目の画面における各画素のグレースケールを可変パラメータとする関数ｆ（ｃｎｔ、ｇｒａｙ）に対応し、
そのうちｃｎｔは、タイムカウントを示し、
ｇｒａｙは、前記１つ目の画面における各画素のグレースケールを示し、
前記グレースケール制御モジュールは、前記画素グレースケールルックアップテーブルを検索することによって前記第2画面における対応する画素の出力グレースケールを制御し、
前記２つ目の画面が前記１つ目の画面と比較して動画である場合、前記比較モジュールが出力するタイムカウントは、一貫して０であり、前記グレースケール制御モジュールが前記画素グレースケールルックアップテーブルから探し出した前記第2画面における対応する画素の出力グレースケールは、前記１つ目の画面における各画素のグレースケールに保たれ、
前記２つ目の画面が前記１つ目の画面と比較して静止画である場合、前記比較モジュールが出力する前記タイムカウントは、０を初期値とし、１を増分として繰り返し累加し、前記グレースケール制御モジュールが前記画素グレースケールルックアップテーブルから探し出した前記第２画面における対応する画素の出力グレースケールは、特定のタイムカウントの範囲内においてタイムカウントが増えるのに伴って徐々に減少する
ことを特徴とするＡＭＯＬＥＤ表示装置の駆動システム。
【請求項２】
ＡＭＯＬＥＤ表示装置の駆動方法であって、
前記ＡＭＯＬＥＤ表示装置の駆動システムは、データ入力モジュールと、前記データ入力モジュールに電気的に接続されるメモリモジュールと、前記メモリモジュールに電気的に接続される第１出力モジュールと、前記データ入力モジュールとメモリモジュールに電気的に接続される比較モジュールと、比較モジュールとメモリモジュールに電気的に接続されるグレースケール制御モジュールと、グレースケール制御モジュールに電気的に接続される第２出力モジュールと、からなり、
当該ＡＭＯＬＥＤ表示装置の駆動システムの駆動周波数が元の２倍に高くなることで、元々１つの画面のみを表示する時間内において二つの画面を表示することができるようになっていて、
その駆動方法は、
手順１として、ＡＭＯＬＥＤ表示装置の駆動システムを提供し、
手順２として、前記データ入力モジュールが隣り合う２つの画面の表示データを連続して入力し、
このとき、元の１つの画面を入力する時間内に、前記元の１つの画面を１つ目の画面とするとともに前記元の１つの画面の次の画面を2つ目の画面として、前記１つ目の画面の表示データを前記メモリモジュールに入力し、前記２つ目の画面の表示データを前記比較モジュールに入力し、
前記隣り合う２つの画面における前記１つ目の画面の表示データは、第１出力モジュールから直接出力されるとともに前記メモリモジュール内に記憶され、
手順３として、前記比較モジュールが前記隣り合う２つの画面における前記１つ目の画面と前記２つ目の画面が相似しているか否かを比較し、前記２つ目の画面が１つ目の画面と比較して動画であるかそれとも静止画であるかを判定するとともに、タイムカウントを出力し、
手順４として、前記グレースケール制御モジュールが、前記タイムカウントと前記１つ目の画面における各画素のグレースケールに基づいて、前記元の１つの画面の表示時間において前記１つ目の画面の表示の次に表示される第2画面における対応する画素の出力グレースケールを制御し、
前記２つ目の画面が前記１つ目の画面と比較して動画である場合、前記グレースケール制御モジュールは、前記第２画面における対応する画素の出力グレースケールが前記１つ目の画面における各画素のグレースケールから変化しないようにし、
前記２つ目の画面が前記１つ目の画面と比較して静止画である場合、前記グレースケール制御モジュールは、前記第2画面における対応する画素の出力グレースケールが、特定のタイムカウントの範囲内においてタイムカウントが増えるのに伴って徐々に減少するように制御し、
手順５として、前記第２出力モジュールが、前記グレースケール制御モジュールによって処理された前記第２画面の表示データを出力する手順５し、
前記グレースケール制御モジュール内には、画素グレースケールルックアップテーブルが設けられ、
前記画素グレースケールルックアップテーブルは、タイムカウントと前記１つ目の画面における各画素のグレースケールを可変パラメータとする関数ｆ（ｃｎｔ、ｇｒａｙ）に対応し、
そのうちｃｎｔは、タイムカウントを示し、
ｇｒａｙは、前記１つ目の画面における各画素のグレースケールを示し、
前記グレースケール制御モジュールは、前記画素グレースケールルックアップテーブルを検索することによって前記第2画面における対応する画素の出力グレースケールを制御し、
前記２つ目の画面が前記１つ目の画面と比較して動画である場合、前記比較モジュールが出力するタイムカウントは、一貫して０であり、前記グレースケール制御モジュールが前記画素グレースケールルックアップテーブルから探し出した第２画面における対応する画素の出力グレースケールは、前記１つ目の画面における各画素のグレースケールに保たれ、
前記２つ目の画面が前記１つ目の画面と比較して静止画である場合、前記比較モジュールが出力する前記タイムカウントは、０を初期値とし、１を増分として繰り返し累加し、前記グレースケール制御モジュールが前記画素グレースケールルックアップテーブルから前記第２画面における対応する画素の出力グレースケールは、特定のタイムカウントの範囲内においてタイムカウントが増えるのに伴って徐々に減少する
ことを特徴とするＡＭＯＬＥＤ表示装置の駆動方法。
【発明の詳細な説明】
【技術分野】
【０００１】
本発明は、ディスプレイの技術分野に関し、特に、ＡＭＯＬＥＤ表示装置の駆動システム及び駆動方法に関する。
【背景技術】
【０００２】
有機発光ダイオード（Ｏｒｇａｎｉｃ  Ｌｉｇｈｔ  Ｅｍｉｔｔｉｎｇ  Ｄｉｓｐｌａｙ、ＯＬＥＤ）表示装置は、自発光、駆動電圧が低い、発光效率が高い、応答時間が短い、解像度とコントラスト比が高い、１８０度に近い視角、使用温度の範囲が広い、フレキシブルディスプレイと大面積全色表示を実現できる等の多くの長所を備え、業界において最も発展の可能性がある表示装置であるとみなされている。
【０００３】
ＯＬＥＤ表示装置は、駆動方式により大きくパッシブマトリクス型ＯＬＥＤ（Ｐａｓｓｉｖｅ  Ｍａｔｒｉｘ  ＯＬＥＤ、ＰＭＯＬＥＤ）とアクティブマトリクス型ＯＬＥＤ（Ａｃｔｉｖｅ  Ｍａｔｒｉｘ  ＯＬＥＤ、ＡＭＯＬＥＤ）の２つに、つまり直接アドレッシングと薄膜トランジスタ（Ｔｈｉｎ  Ｆｉｌｍ  Ｔｒａｎｓｉｓｔｏｒ、ＴＦＴ）マトリックスアドレッシングの２種類に分類される。そのうち、ＡＭＯＬＥＤ表示装置は、アレイ状に配置された画素を備え、アクティブ表示型に属し、発光性能に優れ、通常、解像度の高い大型の表示装置に用いられる。
【０００４】
ＡＭＯＬＥＤ表示装置は、電流によって駆動され、その画素構造は、一般に、１つのメモリキャパシタ及び１つ有機発光ダイオードの２つのトランジスタを備える。有機発光ダイオードは電流駆動素子であり、電流が有機発光ダイオードを流れると、有機発光ダイオードは発光するとともに、流れる電流の大きさの違いによって輝度の高さは異なってくる。
【０００５】
有機発光ダイオードは、通常、アノードと、ホール注入層と、ホール輸送層と、発光層と、電子輸送層と、電子注入層と、カソードと、からなる。有機発光ダイオードの表示輝度が高くなればなるほど、その内部各層の材料の減衰が進むことによって、ＡＭＯＬＥＤ表示装置の画面表示輝度が低くなり、ＡＭＯＬＥＤ表示装置の寿命を向上させることができる。図１に示す通り、ＡＭＯＬＥＤ表示装置の寿命を向上させる従来の方法は、表示画面の輝度を全体的に低くすることである。図１において直線ｙ１０は、ＡＭＯＬＥＤ表示装置の表示画面における初期表示輝度を示し、直線ｙ２０は、ＡＭＯＬＥＤ表示装置の表示画面における輝度全体を下げた後の表示輝度を示す。この方法は、ＡＭＯＬＥＤ表示装置の寿命を向上させることはできるが、全体の輝度が下がるためＡＭＯＬＥＤ表示装置の表示效果に影響が及ぶ。
【発明の概要】
【発明が解決しようとする課題】
【０００６】
本発明は、表示效果に影響を及ぼさない前提のもと、静止画の表示輝度と電力消費を下げることができ、ＡＭＯＬＥＤ表示装置の寿命を向上させるＡＭＯＬＥＤ表示装置の駆動システムを提供することを目的とする。
【０００７】
本発明は、さらに、表示效果に影響を及ぼさない前提のもと、静止画の表示輝度と電力消費を下げることができ、ＡＭＯＬＥＤ表示装置の寿命を向上させるＡＭＯＬＥＤ表示装置の駆動方法を提供することを目的とする。
【課題を解決するための手段】
【０００８】
上述の目的を達成するため、本発明が提供するＡＭＯＬＥＤ表示装置の駆動システムは、データ入力モジュールと、メモリモジュールと、第１出力モジュールと、比較モジュールと、グレースケール制御モジュールと、第２出力モジュールと、からなる。
【０００９】
前記データ入力モジュールは、隣り合う２つの画面の表示データを順番に入力するのに用いられる。
【００１０】
前記メモリモジュールは、前記データ入力モジュールに電気的に接続され、前記隣り合う２つの画面における１つ目の画面の表示データを記憶するのに用いられる。
【００１１】
前記第１出力モジュールは、前記メモリモジュールに電気的に接続され、前記隣り合う２つの画面における１つ目の画面の表示データを直接出力するのに用いられる。
【００１２】
前記比較モジュールは、前記データ入力モジュールとメモリモジュールに電気的に接続され、前記隣り合う２つの画面における１つ目の画面と２つ目の画面が相似しているか否かを比較し、２つ目の画面が１つ目の画面と比較して動画であるかそれとも静止画であるかを判定するとともに、タイムカウントを出力するのに用いられる。
【００１３】
前記グレースケール制御モジュールは、比較モジュールとメモリモジュールに電気的に接続され、タイムカウントと１つ目の画面における各画素のグレースケールに基づいて前記２つ目の画面における対応する画素の出力グレースケールを制御するのに用いられる。前記２つ目の画面が１つ目の画面と比較して動画である場合、前記グレースケール制御モジュールは、前記２つ目の画面における対応する画素の出力グレースケールを制御して初期グレースケールが変化しないようにする。前記２つ目の画面が１つ目の画面と比較して静止画である場合、前記グレースケール制御モジュールは、前記２つ目の画面における対応する画素の出力グレースケールが特定のタイムカウントの範囲内においてタイムカウントが増えるのに伴って徐々に減少するように制御することで、静止画の表示輝度が緩やかに低くなるようにすることができる。
【００１４】
前記第２出力モジュールは、前記グレースケール制御モジュールに電気的に接続され、前記グレースケール制御モジュールによって処理された２つ目の画面の表示データを出力するのに用いられる。
【００１５】
前記データ入力モジュールによって順番に入力された隣り合う２つの画面の表示データは、周波数逓倍によって処理される。
【００１６】
前記グレースケール制御モジュール内には、画素グレースケールルックアップテーブルが設けられ、前記画素グレースケールルックアップテーブルは、タイムカウントと１つ目の画面における各画素のグレースケールを可変パラメータとする関数ｆ（ｃｎｔ、ｇｒａｙ）に対応する。そのうち、ｃｎｔは、タイムカウントを示し、ｇｒａｙは、１つ目の画面における各画素のグレースケールを示す。前記グレースケール制御モジュールは、前記画素グレースケールルックアップテーブルを検索することによって２つ目の画面における対応する画素の出力グレースケールを制御する。
【００１７】
前記２つ目の画面が１つ目の画面と比較して動画である場合、前記比較モジュールが出力するタイムカウントは、一貫して０であり、前記グレースケール制御モジュールが前記画素グレースケールルックアップテーブルから探し出した２つ目の画面における対応する画素の出力グレースケールは、変化せず初期グレースケールに保たれる。
【００１８】
前記２つ目の画面が１つ目の画面と比較して静止画である場合、前記比較モジュールが出力するタイムカウントｃｎｔは、０を初期値とし、１を増分として繰り返し累加することで、ｃｎｔを持つ前記グレースケール制御モジュールが前記画素グレースケールルックアップテーブルから探し出した２つ目の画面における対応する画素の出力グレースケールは、特定のタイムカウントの範囲内においてタイムカウントが増えるのに伴って徐々に減少する。
【００１９】
本発明がさらに提供するＡＭＯＬＥＤ表示装置の駆動方法は、以下の手順からなる。
【００２０】
手順１は、ＡＭＯＬＥＤ表示装置の駆動システムを提供する。
【００２１】
前記ＡＭＯＬＥＤ表示装置の駆動システムは、データ入力モジュールと、前記データ入力モジュールに電気的に接続されるメモリモジュールと、前記メモリモジュールに電気的に接続される第１出力モジュールと、前記データ入力モジュールとメモリモジュールに電気的に接続される比較モジュールと、比較モジュールとメモリモジュールに電気的に接続されるグレースケール制御モジュールと、グレースケール制御モジュールに電気的に接続される第２出力モジュールと、からなる。
【００２２】
手順２は、前記データ入力モジュールが隣り合う２つの画面の表示データを順番に入力する。前記隣り合う２つの画面における１つ目の画面の表示データは、第１出力モジュールから直接出力されるとともに前記メモリモジュール内に記憶され、前記隣り合う２つの画面における２つ目の画面の表示データは、前記比較モジュールに入力される。
【００２３】
手順３は、前記比較モジュールが前記隣り合う２つの画面における１つ目の画面と２つ目の画面が相似しているか否かを比較し、２つ目の画面が１つ目の画面と比較して動画であるかそれとも静止画であるかを判定するとともに、タイムカウントを出力する。
【００２４】
手順４は、前記グレースケール制御モジュールが、タイムカウントと１つ目の画面における各画素のグレースケールに基づいて前記２つ目の画面における対応する画素の出力グレースケールを制御する。前記２つ目の画面が１つ目の画面と比較して動画である場合、前記グレースケール制御モジュールは、前記２つ目の画面における対応する画素の出力グレースケールを制御して初期グレースケールが変化しないようにする。前記２つ目の画面が１つ目の画面と比較して静止画である場合、前記グレースケール制御モジュールは、前記２つ目の画面における対応する画素の出力グレースケールが、特定のタイムカウントの範囲内においてタイムカウントが増えるのに伴って徐々に減少するように制御する。
【００２５】
手順５は、前記第２出力モジュールが、前記グレースケール制御モジュールによって処理された２つ目の画面の表示データを出力する。
【００２６】
前記手順２におけるデータ入力モジュールが順番に入力する隣り合う２つの画面の表示データは、周波数逓倍によって処理される。
【００２７】
前記グレースケール制御モジュール内には、画素グレースケールルックアップテーブルが設けられ、前記画素グレースケールルックアップテーブルは、タイムカウントと１つ目の画面における各画素のグレースケールを可変パラメータとする関数ｆ（ｃｎｔ、ｇｒａｙ）に対応する。そのうち、ｃｎｔは、タイムカウントを示し、ｇｒａｙは、１つ目の画面における各画素のグレースケールを示す。
【００２８】
前記手順４における、前記グレースケール制御モジュールは、前記画素グレースケールルックアップテーブルを検索することによって２つ目の画面における対応する画素の出力グレースケールを制御する。
【００２９】
前記手順３において２つ目の画面が１つ目の画面と比較して動画であると判定された場合、前記比較モジュールが出力するタイムカウントは、一貫して０であり、前記手順４におけるグレースケール制御モジュールが前記画素グレースケールルックアップテーブルから探し出した２つ目の画面における対応する画素の出力グレースケールは、変化せず初期グレースケールに保たれる。
【００３０】
前記手順３において、２つ目の画面が１つ目の画面に比べて静止画であると判定された場合、前記比較モジュールが出力するタイムカウントは、０を初期値とし、１を増分として繰り返し累加する。前記手順４におけるグレースケール制御モジュールが前記画素グレースケールルックアップテーブルから探し出した２つ目の画面における対応する画素の出力グレースケールは、特定のタイムカウントの範囲内においてタイムカウントが増えるのに伴って徐々に減少する。
【００３１】
本発明がさらに提供するＡＭＯＬＥＤ表示装置の駆動システムは、データ入力モジュールと、メモリモジュールと、第１出力モジュールと、比較モジュールと、グレースケール制御モジュールと、第２出力モジュールと、からなる。
【００３２】
前記データ入力モジュールは、隣り合う２つの画面の表示データを順番に入力するのに用いられる。
【００３３】
前記メモリモジュールは、前記データ入力モジュールに電気的に接続され、前記隣り合う２つの画面における１つ目の画面の表示データを記憶するのに用いられる。
【００３４】
前記第１出力モジュールは、前記メモリモジュールに電気的に接続され、前記隣り合う２つの画面における１つ目の画面の表示データを直接出力するのに用いられる。
【００３５】
前記比較モジュールは、前記データ入力モジュールとメモリモジュールに電気的に接続され、前記隣り合う２つの画面における１つ目の画面と２つ目の画面が相似しているか否かを比較し、２つ目の画面が１つ目の画面と比較して動画であるかそれとも静止画であるかを判定するとともに、タイムカウントを出力するのに用いられる。
【００３６】
前記グレースケール制御モジュールは、比較モジュールとメモリモジュールに電気的に接続され、タイムカウントと１つ目の画面における各画素のグレースケールに基づいて前記２つ目の画面における対応する画素の出力グレースケールを制御するのに用いられる。前記２つ目の画面が１つ目の画面と比較して動画である場合、前記グレースケール制御モジュールは、前記２つ目の画面における対応する画素の出力グレースケールを制御して初期グレースケールが変化しないようにする。前記２つ目の画面が１つ目の画面と比較して静止画である場合、前記グレースケール制御モジュールは、前記２つ目の画面における対応する画素の出力グレースケールが特定のタイムカウントの範囲内においてタイムカウントが増えるのに伴って徐々に減少するように制御することで、静止画の表示輝度が緩やかに低くなるようにすることができる。
【００３７】
前記第２出力モジュールは、前記グレースケール制御モジュールに電気的に接続され、前記グレースケール制御モジュールによって処理された２つ目の画面の表示データを出力するのに用いられる。
【００３８】
そのうち、前記データ入力モジュールによって順番に入力された隣り合う２つの画面の表示データは、周波数逓倍によって処理される。
【００３９】
そのうち、前記グレースケール制御モジュール内には、画素グレースケールルックアップテーブルが設けられ、前記画素グレースケールルックアップテーブルは、タイムカウントと１つ目の画面における各画素のグレースケールを可変パラメータとする関数ｆ（ｃｎｔ、ｇｒａｙ）に対応する。そのうち、ｃｎｔは、タイムカウントを示し、ｇｒａｙは、１つ目の画面における各画素のグレースケールを示す。前記グレースケール制御モジュールは、前記画素グレースケールルックアップテーブルを検索することによって２つ目の画面における対応する画素の出力グレースケールを制御する。
【００４０】
そのうち、前記２つ目の画面が１つ目の画面と比較して動画である場合、前記比較モジュールが出力するタイムカウントは、一貫して０であり、前記グレースケール制御モジュールが前記画素グレースケールルックアップテーブルから探し出した２つ目の画面における対応する画素の出力グレースケールは、変化せず初期グレースケールに保たれる。
【発明の効果】
【００４１】
本発明が提供するＡＭＯＬＥＤ表示装置の駆動システム及び駆動方法は、比較モジュールによって隣り合う２つの画面における１つ目の画面と２つ目の画面が相似しているか否かを比較し、２つ目の画面が１つ目の画面と比較して動画であるかそれとも静止画であるかを判定するとともに、タイムカウントを出力し、グレースケール制御モジュールによって、タイムカウントと１つ目の画面における各画素のグレースケールに基づいて２つ目の画面における対応する画素の出力グレースケールを制御する。前記２つ目の画面が１つ目の画面と比較して動画である場合、前記グレースケール制御モジュールは、前記２つ目の画面における対応する画素の出力グレースケールを制御して初期グレースケールが変化しないようにする。前記２つ目の画面が１つ目の画面と比較して静止画である場合、前記グレースケール制御モジュールは、前記２つ目の画面における対応する画素の出力グレースケールが、特定のタイムカウントの範囲内においてタイムカウントが増えるのに伴って徐々に減少するように制御することで、静止画の表示輝度を人の目の感覚では感じ取れない速度で緩やかに低くすることができ、表示效果に影響を及ぼさない前提のもと、静止画の表示輝度と電力消費を下げることができ、ＡＭＯＬＥＤ表示装置の寿命が向上する。
【００４２】
本発明の特徴及び技術内容をさらに分かりやすくするため、以下に本発明に関する詳しい説明と図を参照する。しかしながら、図は参考と説明のためにのみ提供するものであって、本発明に制限を加えるためのものではない。
【図面の簡単な説明】
【００４３】
以下に図と組み合わせて、本発明の具体的な実施方法を詳述することによって、本発明の技術案及びその他の有利な効果をさらに明らかにする。
【図１】表示画面の輝度を全体的に下げることによってＡＭＯＬＥＤ表示装置の寿命を向上させる従来の方法を示した図である。
【図２】本発明のＡＭＯＬＥＤ表示装置における駆動システムの構造のブロック図である。
【図３】本発明のＡＭＯＬＥＤ表示装置の駆動システムにおける画素グレースケールルックアップテーブルの例を示した図である。
【図４】本発明のＡＭＯＬＥＤ表示装置の駆動システムにおける画素グレースケールルックアップテーブルの例を示した図である。
【図５】本発明のＡＭＯＬＥＤ表示装置の駆動システムによって静止画の表示輝度を下げた状態を示した図である。
【図６】本発明のＡＭＯＬＥＤ表示装置における駆動方法のフローチャートである。
【発明を実施するための形態】
【００４４】
本発明が採用した技術手段及びその効果をさらに詳しく説明するため、以下に本発明の好ましい実施例及び図を添えて詳細する。
【００４５】
図２を参照する。本発明が提供するＡＭＯＬＥＤ表示装置の駆動システムは、データ入力モジュール１と、前記データ入力モジュール１に電気的に接続されるメモリモジュール２と、前記メモリモジュール２に電気的に接続される第１出力モジュール３と、前記データ入力モジュール１とメモリモジュール２に電気的に接続される比較モジュール４と、比較モジュール４とメモリモジュール２に電気的に接続されるグレースケール制御モジュール５と、グレースケール制御モジュール５に電気的に接続される第２出力モジュール６と、からなる。
【００４６】
前記データ入力モジュール１は、隣り合う２つの画面の表示データを順番に入力するのに用いられる。重要な点として、前記データ入力モジュール１が順番に入力する隣り合う２つの画面の表示データは、周波数逓倍によって処理される。つまりＡＭＯＬＥＤ表示装置の駆動周波数は、元の駆動周波数の２倍まで高くなることで、元々１つの画面のみを表示する時間内において隣り合う２つの画面を表示することができる。
【００４７】
前記メモリモジュール２は、前記隣り合う２つの画面における１つ目の画面の表示データを記憶するのに用いられる。
【００４８】
前記第１出力モジュール３は、前記隣り合う２つの画面における１つ目の画面の表示データを直接出力するのに用いられる。
【００４９】
前記比較モジュール４は、前記隣り合う２つの画面の１つ目の画面における各画素と２つ目の画面における対応する画素の表示データを比較することによって、１つ目の画面と２つ目の画面が相似しているか否かを比較し、２つ目の画面が１つ目の画面と比較して動画であるかそれとも静止画であるかを判定するとともに、タイムカウントｃｎｔを出力する。具体的には、１つ目の画面と２つ目の画面が相似していない場合には、２つ目の画面が１つ目の画面と比較して動画であると判定され、この場合には、前記比較モジュール４が出力するタイムカウントｃｎｔは、一貫して０である。１つ目の画面と２つ目の画面が相似している場合には、２つ目の画面が１つ目の画面に比べて静止画であると判定され、この場合、前記比較モジュール４が出力するタイムカウントｃｎｔは、０を初期値とし、１を増分として繰り返し累加する、つまりｃｎｔ＝ｃｎｔ＋１である。
【００５０】
前記グレースケール制御モジュール５は、タイムカウントｃｎｔと１つ目の画面における各画素のグレースケールに基づいて前記２つ目の画面における対応する画素の出力グレースケールを制御するのに用いられる。前記２つ目の画面が１つ目の画面と比較して動画である場合、前記グレースケール制御モジュール５は、前記２つ目の画面における対応する画素の出力グレースケールが変化せず初期グレースケールに保たれるように制御する。前記２つ目の画面が１つ目の画面と比較して静止画である場合、前記グレースケール制御モジュール５は、前記２つ目の画面における対応する画素の出力グレースケールが特定のタイムカウントの範囲内においてタイムカウントｃｎｔが増えるのに伴って徐々に減少するように制御することによって、図５に示す通り（ｙ１は、静止画の初期表示輝度を示し、ｙ２は、本発明の駆動システムによって静止画の表示輝度を下げた後の表示輝度を示す）人の目では感じ取れない速度で緩やかに静止画の表示輝度を低くすることができ、表示效果に影響を及ぼさない前提のもと、静止画の表示輝度と電力消費を下げることができ、ＡＭＯＬＥＤ表示装置の寿命を向上させる。
【００５１】
前記第２出力モジュール６は、前記グレースケール制御モジュール５によって処理された２つ目の画面の表示データを出力するのに用いられる。
【００５２】
説明すべき重要な点として、前記グレースケール制御モジュール５内には画素グレースケールルックアップテーブルが設けられ、前記画素グレースケールルックアップテーブルは、タイムカウントｃｎｔと１つ目の画面における各画素のグレースケールを可変パラメータとする関数ｆ（ｃｎｔ、ｇｒａｙ）に対応する。そのうち、ｃｎｔは、タイムカウントを示し、ｇｒａｙは、１つ目の画面における各画素のグレースケールを示す。前記画素グレースケールルックアップテーブルは、表示輝度、Ｇａｍｍａ曲線、コントラスト比等の画像における表示特徴に基づいて設定を行う。
【００５３】
前記グレースケール制御モジュール５は、前記画素グレースケールルックアップテーブルを調べることによって２つ目の画面における対応する画素の出力グレースケールを制御する。
【００５４】
前記２つ目の画面が１つ目の画面と比較して動画である場合、前記比較モジュール４が出力するタイムカウントｃｎｔは、一貫して０であり、前記グレースケール制御モジュール５が前記画素グレースケールルックアップテーブルから探し出した２つ目の画面における対応する画素の出力グレースケールは、変化せず初期グレースケールに保たれる。つまり、２つ目の画面における対応する画素の表示輝度は、変化せず初期の表示輝度に保たれることで、動画の表示效果が保証される。
【００５５】
前記２つ目の画面が１つ目の画面と比較して静止画である場合、前記比較モジュール４が出力するタイムカウントｃｎｔは、０を初期値とし、１を増分として繰り返し累加する。つまり、ｃｎｔ＝ｃｎｔ＋１となる。前記グレースケール制御モジュール５が前記画素グレースケールルックアップテーブルから探し出した２つ目の画面における対応する画素の出力グレースケールは、特定のタイムカウントの範囲内においてタイムカウントｃｎｔが増えるのに伴って徐々に減少する。タイムカウントｃｎｔが増えて前記特定のタイムカウントの範囲を超えると、２つ目の画面における対応する画素の出力グレースケールは、タイムカウントｃｎｔが増えるのに伴って減少し続けることはなく、前記特定のタイムカウントの範囲内で減った最小の出力グレースケールに保たれる。例えば、図３に示す通り、前記１つ目の画面におけるある画素のグレースケールが２５５である場合には、グレースケールルックアップテーブルから探し出せる２つ目の画面における対応する画素の出力グレースケールは、ｆ（ｃｎｔ、２５５）であり、特定のタイムカウントの範囲内に出力されるグレースケールは、２５５からタイムカウントｃｎｔが増えるのに伴って徐々に減少する。図４に示す通り、前記１つ目の画面におけるある画素のグレースケールが１６０である場合には、グレースケールルックアップテーブルから探し出せる２つ目の画面における対応する画素の出力グレースケールは、ｆ（ｃｎｔ、１６０）であり、特定のタイムカウントの範囲内に出力されるグレースケールは、１６０からタイムカウントｃｎｔが増えるのに伴って徐々に減少する。
【００５６】
図６を参照する。上述のＡＭＯＬＥＤ表示装置の駆動システムを基本とし、本発明がさらに提供するＡＭＯＬＥＤ表示装置の駆動方法は、以下の手順からなる。
【００５７】
手順１は、図２に示す通り、ＡＭＯＬＥＤ表示装置の駆動システムを提供する。前記ＡＭＯＬＥＤ表示装置の駆動システムは、データ入力モジュール１と、前記データ入力モジュール１に電気的に接続されるメモリモジュール２と、前記メモリモジュール２に電気的に接続される第１出力モジュール３と、前記データ入力モジュール１とメモリモジュール２に電気的に接続される比較モジュール４と、比較モジュール４とメモリモジュール２に電気的に接続されるグレースケール制御モジュール５と、グレースケール制御モジュール５に電気的に接続される第２出力モジュール６と、からなる。
【００５８】
手順２は、前記データ入力モジュール１が隣り合う２つの画面の表示データを順番に入力する。前記隣り合う２つの画面における１つ目の画面の表示データは、第１出力モジュール３から直接出力されるとともに前記メモリモジュール２に記憶され、前記隣り合う２つの画面における２つ目の画面の表示データは、前記比較モジュール４に入力される。
【００５９】
重要な点として、前記データ入力モジュール１が順番に入力する隣り合う２つの画面の表示データは、周波数逓倍によって処理される。
【００６０】
手順３は、前記比較モジュール４が、前記隣り合う２つの画面の１つ目の画面における各画素と２つ目の画面における対応する画素の表示データを比較することによって１つ目の画面と２つ目の画面が相似しているか否かを比較し、２つ目の画面が１つ目の画面と比較して動画であるかそれとも静止画であるかを判定するとともに、タイムカウントｃｎｔを出力する。
【００６１】
具体的には、１つ目の画面と２つ目の画面が相似していない場合には、２つ目の画面が１つ目の画面と比較して動画であると判定され、この場合には、前記比較モジュール４が出力するタイムカウントｃｎｔは、一貫して０である。１つ目の画面と２つ目の画面が相似している場合には、２つ目の画面が１つ目の画面に比べて静止画であると判定され、この場合、前記比較モジュール４が出力するタイムカウントｃｎｔは、０を初期値とし、１を増分として繰り返し累加する、つまりｃｎｔ＝ｃｎｔ＋１である。
【００６２】
手順４は、前記グレースケール制御モジュール５が、タイムカウントｃｎｔと１つ目の画面における各画素のグレースケールに基づいて前記２つ目の画面における対応する画素の出力グレースケールを制御する。
【００６３】
前記２つ目の画面が１つ目の画面と比較して動画である場合、前記グレースケール制御モジュール５が制御する前記２つ目の画面における対応する画素の出力グレースケールは、変化せず初期グレースケールに保たれる。前記２つ目の画面が１つ目の画面と比較して静止画である場合、前記グレースケール制御モジュール５が制御する前記２つ目の画面における対応する画素の出力グレースケールは、特定のタイムカウントの範囲内においてタイムカウントｃｎｔが増える徐々に減少することで、図５に示す通り（ｙ１は、静止画の初期表示輝度を示し、ｙ２は、本発明の駆動システムによって静止画の表示輝度を下げた後の表示輝度を示す）人の目では感じ取れない速度で緩やかに静止画の表示輝度を低くすることができ、表示效果に影響を及ぼさない前提のもと、静止画の表示輝度と電力消費を下げることができ、ＡＭＯＬＥＤ表示装置の寿命を向上させる。
【００６４】
具体的には、前記グレースケール制御モジュール５内には画素グレースケールルックアップテーブルが設けられ、前記画素グレースケールルックアップテーブルは、タイムカウントｃｎｔと１つ目の画面における各画素のグレースケールを可変パラメータとする関数ｆ（ｃｎｔ、ｇｒａｙ）に対応する、そのうちｃｎｔは、タイムカウントを示し、ｇｒａｙは、１つ目の画面における各画素のグレースケールを示す。前記画素グレースケールルックアップテーブルは、表示輝度、Ｇａｍｍａ曲線、コントラスト比等の画像における表示特徴に基づいて設定を行う。
【００６５】
前記グレースケール制御モジュール５は、前記画素グレースケールルックアップテーブルを調べることによって２つ目の画面における対応する画素の出力グレースケールを制御する。
【００６６】
前記２つ目の画面が１つ目の画面と比較して動画である場合、前記比較モジュール４が出力するタイムカウントｃｎｔは、一貫して０であり、前記グレースケール制御モジュール５が前記画素グレースケールルックアップテーブルから探し出した２つ目の画面における対応する画素の出力グレースケールは、変化せず初期グレースケールに保たれる。つまり、２つ目の画面における対応する画素の表示輝度は、変化せず初期の表示輝度に保たれることで、動画の表示效果が保証される。
【００６７】
前記２つ目の画面が１つ目の画面と比較して静止画である場合、前記比較モジュール４が出力するタイムカウントｃｎｔは、０を初期値とし、１を増分として繰り返し累加する。つまり、ｃｎｔ＝ｃｎｔ＋１となる。前記グレースケール制御モジュール５が前記画素グレースケールルックアップテーブルから探し出した２つ目の画面における対応する画素の出力グレースケールは、特定のタイムカウントの範囲内においてタイムカウントｃｎｔが増えるのに伴って徐々に減少する。タイムカウントｃｎｔが増えて前記特定のタイムカウントの範囲を超えると、２つ目の画面における対応する画素の出力グレースケールは、タイムカウントｃｎｔが増えるのに伴って減少し続けることはなく、前記特定のタイムカウントの範囲内で減る最小の出力グレースケールに保たれる。例えば、図３に示す通り、前記１つ目の画面におけるある画素のグレースケールが２５５である場合には、グレースケールルックアップテーブルから探し出せる２つ目の画面における対応する画素の出力グレースケールは、ｆ（ｃｎｔ、２５５）であり、特定のタイムカウントの範囲内に出力されるグレースケールは、２５５からタイムカウントｃｎｔが増えるのに伴って徐々に減少する。図４に示す通り、前記１つ目の画面におけるある画素のグレースケールが１６０である場合には、グレースケールルックアップテーブルから探し出せる２つ目の画面における対応する画素の出力グレースケールは、ｆ（ｃｎｔ、１６０）であり、特定のタイムカウントの範囲内に出力されるグレースケールは、１６０からタイムカウントｃｎｔが増えるのに伴って徐々に減少する。
【００６８】
手順５は、前記第２出力モジュール６が前記グレースケール制御モジュール５によって処理された２つ目の画面の表示データを出力する。
【００６９】
要約すると、本発明のＡＭＯＬＥＤ表示装置の駆動システム及び駆動方法は、比較モジュールが隣り合う２つの画面における１つ目の画面と２つ目の画面が相似しているか否かを比較し、２つ目の画面が１つ目の画面と比較して動画であるかそれとも静止画であるかを判定するとともに、タイムカウントを出力する。グレースケール制御モジュールによってタイムカウントと１つ目の画面における各画素のグレースケールに基づき２つ目の画面における対応する画素の出力グレースケールを制御する。前記２つ目の画面が１つ目の画面と比較して動画である場合、前記グレースケール制御モジュールは、前記２つ目の画面における対応する画素の出力グレースケールを制御して初期グレースケールが変化しないようにする。前記２つ目の画面が１つ目の画面と比較して静止画である場合、前記グレースケール制御モジュールは、前記２つ目の画面における対応する画素の出力グレースケールが、特定のタイムカウントの範囲内においてタイムカウントが増えるのに伴って徐々に減少するように制御することで、静止画の表示輝度を人の目の感覚では感じ取れない速度で緩やかに低くすることができ、表示效果に影響を及ぼさない前提のもと、静止画の表示輝度と電力消費を下げることができ、ＡＭＯＬＥＤ表示装置の寿命を向上させる。
【００７０】
上述は、本分野の一般の技術者からすると、本発明の技術案の解決策と技術構想に基づいてその他の各種対応する変化や変形を作り出すことができるため、これら全ての変化や変形は全て本発明の特許請求範囲に属するものとする。
【符号の説明】
【００７１】
１  データ入力モジュール
２  メモリモジュール
３  第１出力モジュール
４  比較モジュール
５  グレースケール制御モジュール
６  第２出力モジュール
【図１】
0006663486.tif 000002
【図２】
0006663486.tif 000003
【図３】
0006663486.tif 000004
【図４】
0006663486.tif 000005
【図５】
0006663486.tif 000006
【図６】
0006663486.tif 000007